(57)【要約】  【課題】  冷却設備の電力消費量を低減させる。  【解決手段】  冷却制御機器は、周辺温度／湿度センサ及び主制御装置を有する。周辺温度／湿度センサは、冷却設備の外側に据え付けられる。主制御装置は冷却設備に据え付けられ、冷却設備の周辺温度／湿度センサ及び曇り除去ヒータに電子的に接続され、且つ露点公式、曇り除去データベース及び曇り除去制御工程を記憶する。曇り除去データベースは、複数の標準露点値及び複数の曇り除去継続時間値の表である。曇り除去制御工程は、露点公式から露点を計算し、表に最も近い標準露点値を入力し、且つ曇り除去データベースの表から対応する曇り除去継続時間値を抽出すると共に、抽出された曇り除去継続時間値と等しい多くの時間の間、曇り除去ヒータを作動させる。  【選択図】なし【特許請求の範囲】
【請求項１】
少なくとも１個の棚を有する冷却設備の電力消費量を低減させる冷却制御機器であって、各棚は冷却箱及び外部室を有し、少なくとも１個の膨張弁は夫々、前記少なくとも１個の棚の冷却箱に据え付けられ、少なくとも１個の蒸発器は夫々、前記少なくとも１個の棚の冷却箱に据え付けられると共に、対応する前記膨張弁に連結され、少なくとも１個の任意の霜取りヒータは夫々、前記少なくとも１個の棚の冷却箱において、対応する前記蒸発器の近くに据え付けられ、圧縮機は前記少なくとも１個の棚の中の１個の前記外部室に据え付けられると共に、前記少なくとも１個の蒸発器に連結され、凝縮器は前記少なくとも１個の棚の中の１個の前記外部室に据え付けられると共に、前記圧縮機に連結され、少なくとも１個の冷却ファンは夫々、前記少なくとも１個の棚の冷却箱において、対応する前記蒸発器の近くに据え付けられると共に、対応する前記冷却箱において、対応する前記蒸発器を横切るように空気を吹き付け、また少なくとも１個の曇り除去ヒータは夫々、前記少なくとも１個の棚の冷却箱に据え付けられ、前記制御機器は、
前記棚の冷却箱の外側に据え付けられると共に、該冷却箱の外部の周辺温度及び湿度を感知する周辺温度／湿度センサと、
主制御装置と、該主制御装置は、前記少なくとも１個の棚の中の１個の前記外部室に据え付けられ、前記周辺温度／湿度センサ及び前記少なくとも１個の曇り除去ヒータに連結されると共に、
前記冷却箱の外部の周辺温度及び湿度から露点を計算するための露点公式と、
複数の標準露点値及び該標準露点値夫々に対応する複数の曇り除去継続時間値を保有する曇り除去データベースと、
露点を計算し、適合する標準露点値を見つけ、且つ前記曇り除去データベースの対応する曇り除去継続時間値を抽出すると共に、該抽出された曇り除去継続時間と等しい多くの時間の間、前記曇り除去ヒータを作動させるために、前記主制御装置によって実行される曇り除去制御工程とを記憶する
ことを特徴とする冷却制御機器。
【請求項２】
前記主制御装置は更に、デフォルト露点計算時間間隔を記憶しており、
前記曇り除去制御工程は、
露点計算時間間隔を計数する工程と、
該露点計算時間間隔がデフォルト露点計算時間間隔と等しいか否かを判定する工程と、
前記露点計算時間間隔が該デフォルト露点計算時間間隔と等しい時に、前記棚の外部の周辺温度及び湿度を採取すると共に、前記露点計算時間間隔を再度計数する工程と、
露点を計算する工程と、
該計算された露点に対応する適合標準露点値を見つける工程と、
該適合標準露点値に対応する曇り除去継続時間値を抽出する工程と、
前記曇り除去ヒータを作動させる工程と、
曇り除去継続時間を計数する工程と、
該計数された曇り除去継続時間が前記抽出された曇り除去継続時間値と等しいか否かを判定する工程と、
前記計数された曇り除去継続時間が前記抽出された曇り除去継続時間値と等しい時に、前記曇り除去ヒータを停止させる工程とを含む
ことを特徴とする請求項１に記載の冷却制御機器。
【請求項３】
前記主制御装置は更に、前記圧縮機、前記少なくとも１個の膨張弁、前記少なくとも１個の冷却ファン、及び前記少なくとも１個の霜取りヒータと連結しており、更に、
目標霜取り時間と；
霜取り設定時間と；
所定遅延時間と；
前記主制御装置によって実行される霜取り制御工程と；
を記憶しており、
前記冷却設備が、前記目標霜取り時間間隔と等しい時間間隔の間作動させられた時に、前記圧縮機及び前記少なくとも１個の冷却ファンを停止させ、前記少なくとも１個の膨張弁を閉鎖し、且つ前記少なくとも１個の霜取りヒータを作動させ；
前記少なくとも１個の霜取りヒータが、前記霜取り設定時間と等しい霜取り時間の間作動させられた時に、該少なくとも１個の霜取りヒータを停止させ、且つ
前記少なくとも１個の霜取りヒータがしばらくの間停止させられた後に、前記圧縮機及び前記少なくとも１個の冷却ファンを作動させると共に、前記少なくとも１個の膨張弁を開放させる
ことを特徴とする請求項１に記載の冷却制御機器。
【請求項４】
前記霜取り制御工程は、
前記冷却設備が作動させられた時に、作動時間を計数する工程と、
前記作動時間が前記目標霜取り時間と等しいか否かを判定する工程と、
前記作動時間が前記目標霜取り時間と等しい時に、前記圧縮機及び前記少なくとも１個の冷却ファンを停止させると共に、前記少なくとも１個の膨張弁を閉鎖する工程と、
前記少なくとも１個の霜取りヒータを作動させる工程と、
霜取り時間を計数する工程と、
霜取り時間が霜取り設定時間と等しいか否かを判定する工程と、
前記霜取り時間が前記霜取り設定時間と等しい時に、前記少なくとも１個の霜取りヒータを停止させる工程と、
遅延時間を計数する工程と、
遅延時間が所定遅延時間と等しいか否かを判定する工程と、
前記霜取り時間が前記所定遅延時間と等しい時に、前記圧縮機及び前記少なくとも１個の冷却ファンを作動させると共に、前記少なくとも１個の膨張弁を開放させる工程と
を含むことを特徴とする請求項３に記載の冷却制御機器。
【請求項５】
前記少なくとも１個の棚の冷却箱に夫々据え付けられると共に、該対応する棚の冷却箱の内部の冷却箱温度を感知する少なくとも１個の冷却箱温度センサを更に含み、
前記主制御装置は更に、該少なくとも１個の冷却箱温度センサに連結されると共に、該少なくとも１個の棚の冷却箱の少なくとも１個の最高温度を記憶し、
前記霜取り制御工程はまた、前記少なくとも１個の棚の冷却箱の内部の温度が前記対応最高温度と等しい時に、前記少なくとも１個の霜取りヒータを停止させる
ことを特徴とする請求項３に記載の冷却制御機器。
【請求項６】
前記霜取り制御工程は、
前記冷却設備が作動させられている時に、作動時間を計数する工程と、
前記作動時間が目標霜取り時間と等しいか否かを判定する工程と、
前記作動時間が前記目標霜取り時間と等しい時に、前記圧縮機及び前記少なくとも１個の冷却ファンを停止させると共に、前記少なくとも１個の膨張弁を閉鎖する工程と、
前記少なくとも１個の霜取りヒータを作動させる工程と、
霜取り時間を計数する工程と、
前記少なくとも１個の棚の各冷却箱の内部温度が対応する最高温度と等しいか、或いは前記霜取り時間が前記霜取り設定時間と等しいか否かを判定する工程と、
前記少なくとも１個の棚の冷却箱の内部温度が前記対応最高温度と等しく、或いは前記霜取り時間が前記霜取り設定時間と等しい時に、前記少なくとも１個の霜取りヒータを停止させる工程と、
遅延時間を計数する工程と、
前記遅延時間が前記所定遅延時間と等しいか否かを判定する工程と、
前記遅延時間が前記所定遅延時間と等しい時に、前記圧縮機及び前記少なくとも１個の冷却ファンを作動させると共に、前記少なくとも１個の膨張弁を開放する工程と
を含むことを特徴とする請求項５に記載の冷却制御機器。
【請求項７】
複数の冷却箱温度センサを更に含み、
前記冷却設備は複数の棚と、複数の膨張弁と、複数の蒸発器と、複数の任意の霜取りヒータと、圧縮機と、凝縮器と、複数の冷却ファンと、複数の曇り除去ヒータを有し、
前記冷却箱温度センサは夫々、前記棚の冷却箱に据え付けられると共に、該棚の冷却箱の内部の冷却箱温度を感知し、
前記主制御装置は更に、前記膨張弁、前記圧縮機、及び前記冷却ファンと連結し、更に前記棚に夫々対応する複数の最高温度と、前記棚に夫々対応する複数の最低温度と、該主制御装置によって実行される圧縮機制御工程とを記憶しており、
いずれかの冷却箱の内部温度が対応する最高温度よりも高い時に、前記圧縮機を作動させると共に、全ての膨張弁を開放し、
いずれかの冷却箱の内部温度が対応する最低温度よりも低い時に、対応する前記膨張弁を閉鎖し、且つ
前記全ての膨張弁が閉鎖した時に、前記圧縮機を停止させる
ことを特徴とする請求項１に記載の制御機器。
【請求項８】
前記圧縮機制御工程は、
前記冷却箱の内部温度を監視する工程と、
いずれかの冷却箱の内部温度が対応する最高温度よりも高いか否かを判定する工程と、
いずれかの冷却箱の内部温度が該対応する最高温度よりも高い時に、前記圧縮機が作動しているか否かを判定する工程と、
前記圧縮機が停止している時に、該圧縮機を作動させる工程と、
前記圧縮機が作動している時に、全ての膨張弁を開放する工程と、
前記冷却箱の温度が対応する最低温度よりも低いか否かを判定する工程と、
いずれかの冷却箱の温度が該対応する最低温度よりも低い時に、対応する前記膨張弁を閉鎖する工程と、
全ての膨張弁が閉鎖しているか否かを判定する工程と、
前記全ての膨張弁が閉鎖している時に、前記圧縮機を停止させる工程と
を含むことを特徴とする請求項７に記載の制御機器。
【発明の詳細な説明】
【技術分野】
【０００１】
本発明は制御機器に関し、特に、冷却設備の電力消費量を低減させる冷却制御機器に関する。
【背景技術】
【０００２】
冷蔵庫及び冷凍庫は、スーパーマーケット、コンビニエンスストア等において、一般的な設備である。冷却設備は、１個以上の棚と、圧縮機と、凝縮器と、少なくとも１個の膨張弁と、少なくとも１個の蒸発器と、制御装置を含んでよい。各棚は冷却箱と、外部室を含む。冷却箱は殆どの店において、ガラス扉及び霜取り装置を有する。霜取り装置は、結露及び霜がガラス扉に形成するのを阻止するために、ガラス扉に空気を吹き付ける。圧縮機は、１個の棚の外部室に据え付けられると共に、低圧の気相冷媒を高圧の気相冷媒に圧縮する。凝縮器は、圧縮機を備えた棚の外部室に据え付けられ、圧縮機と連結され、更に高圧の冷媒から熱を取り除くことにより、高圧の気相冷媒を高圧の液相冷媒に凝縮する。膨張弁は各冷却箱に据え付けられ、凝縮器からの高圧液相冷媒を低圧液相冷媒に制御し且つ気化するために、凝縮器と連結されると共に、温度センサを有する。温度センサは対応する冷却箱に据え付けられ、冷却箱の空気温度を感知し、且つ膨張弁を通る液相冷媒の流れを調整するために、温度信号を膨張弁に送る。制御装置は圧縮機及び膨張弁と電子的に連結されると共に、冷却箱の温度が制御装置の事前設定温度よりも高い時に、圧縮機及び膨張弁を作動させる。従って、棚には冷却空気が満たされて、棚の内部温度が減少する。
【０００３】
更に、棚は通常、消費者が棚の中から食品を選択することができるように、ガラスの前面を有する。しかしながら、棚の中と外の温度差が大きくなるならば、湿度がガラスを曇らせて、消費者は棚の中を見ることができない。この問題を解決するために、ガラスが曇るのを阻止するべく、ガラスを加熱するために、曇り除去ヒータが使用される。
【０００４】
しかしながら、曇り除去ヒータは、ガラス及び棚の中の温度を上昇させる。棚の中の温度が高いと、棚の中の温度を下げるために、制御装置が圧縮機、膨張弁及び冷ファンを作動させる。結果的に、曇り除去ヒータは冷却設備に、より多くの電力を消費させる。
【発明の開示】
【発明が解決しようとする課題】
【０００５】
欠点を克服するために、本発明は、前述の問題を軽減し或いは取り除くべく、冷却設備の電力消費量を低減させる冷却制御機器を提供する。
本発明の主な目的は、冷却設備の電力消費量を低減させる冷却制御機器を提供することにある。
【課題を解決するための手段】
【０００６】
本発明に係る冷却設備の電力消費量を低減させる冷却制御機器は、周囲温度／湿度センサ及び主制御装置を含む。周囲温度／湿度センサは、冷却設備の外部に据え付けられる。主制御装置は、冷却設備に据え付けられ、冷却設備の周囲温度／湿度センサ及び少なくとも１個の曇り除去ヒータに電子的に連結され、且つ露点公式、曇り除去データベース及び曇り除去制御工程を記憶する。曇り除去データベースは、複数の標準露点値及び複数の曇り除去継続時間値の表である。曇り除去制御工程は、露点公式から露点を計算し、曇り除去データベースの表に最も近い標準露点値を入力し、且つ表から対応する曇り除去継続時間値を抽出すると共に、抽出された曇り除去継続時間値と等しい多くの時間の間、曇り除去ヒータを作動させる。
【発明を実施するための最良の形態】
【０００７】
図２、図８及び図１１を参照すると、本発明に係る冷却制御機器は、冷却設備の電力消費量を低減させるために用いられる。図１、図５、図７及び図１０を更に参照すると、冷却設備は、閉鎖棚型冷却設備（１０）、開放棚型冷却設備（２０）、又は棚型冷凍庫（３０）であってよく、また少なくとも１個の棚（１１，２１，３１）と、少なくとも１個の膨張弁（１５，２５，３５）と、少なくとも１個の蒸発器（１４，２４，３４）と、少なくとも１個の任意の霜取りヒータ（３８）と、圧縮機（１３，２３，３３）と、凝縮器（１９，２９，３９）と、少なくとも１個の冷却ファン（１６，２６，３６）と、少なくとも１個の曇り除去ヒータ（１７，２７，３７）とを含む。
【０００８】
各棚（１１，２１，３１）は、冷却箱及び外部室を有する。冷却箱は前面と、２個の側面と、任意のガラス扉（１２，３２）と、任意のガラス窓（２２）を有する。冷却設備が閉鎖棚型冷却設備（１０）又は棚型冷凍庫（３０）である時には、各棚（１１，３１）は、冷却箱の前面に据え付けられるガラス扉を有する。冷却設備が開放棚型冷却設備（２０）である時には、各棚（２１）は、冷却箱の側面に夫々据え付けられる２個のガラス窓（２２）を有する。
【０００９】
少なくとも１個の膨張弁（１５，２５，３５）は夫々、少なくとも１個の棚（１１，２１，３１）の冷却箱に或いはその付近に据え付けられる。
少なくとも１個の蒸発器（１４，２４，３４）は夫々、少なくとも１個の棚（１１，２１，３１）の冷却箱に据え付けられると共に、冷却箱から熱を吸収し且つ冷却箱を冷却するために、対応する膨張弁（１５，２５，３５）に連結される。
【００１０】
少なくとも１個の霜取りヒータ（３８）は夫々、棚型冷凍庫（３０）の少なくとも１個の棚（３１）の冷却箱において、対応する蒸発器（３４）の近くに据え付けられると共に、蒸発器（３４）がしばしば、棚型冷凍庫（３０）内において霜で覆われるので、蒸発器（３４）の霜を取る。
【００１１】
圧縮機（１３，２３，３３）は、少なくとも１個の棚（１１，２１，３１）の中の１個の外部室に据え付けられると共に、少なくとも１個の蒸発器（１４，２４，３４）に連結される。
【００１２】
凝縮器（１９，２９，３９）は、少なくとも１個の棚（１１，２１，３１）の中の１個の外部室に据え付けられると共に、圧縮機（１３，２３，３３）に連結される。
少なくとも１個の冷却ファン（１６，２６，３６）は夫々、少なくとも１個の棚（１１，２１，３１）の冷却箱において、対応する蒸発器（１４，２４，３４）の近くに据え付けられると共に、対応する冷却箱の空気を冷却するために、対応する冷却箱の中において、対応する蒸発器（１４，２４，３４）を横切るように空気を吹き付ける。
【００１３】
少なくとも１個の曇り除去ヒータ（１７，２７，３７）は夫々、少なくとも１個の棚（１１，２１，３１）の冷却箱にあるガラス扉（１２，３２）及びガラス窓（２２）の付近に据え付けられると共に、ガラス扉（１２，３２）及びガラス窓（２２）が曇るのを阻止するために、ガラス扉（１２，３２）及びガラス窓（２２）を加熱する。
【００１４】
本発明の冷却制御機器は、周囲温度／湿度センサ（４２）と、少なくとも１個の任意の冷却箱温度センサ（４１）と、主制御装置（４３）を含む。
周囲温度／湿度センサ（４２）は、棚（１１，２１，３１）の冷却箱の外側に据え付けられると共に、棚（１１，２１，３１）の冷却箱の外部の周囲温度及び湿度を感知する。
【００１５】
更に図６Ｄ，図６Ｆ，図６Ｇ及び図６Ｈを参照すると、少なくとも１個の冷却箱温度セ
ンサ（４１）は夫々、少なくとも１個の棚（１１，２１，３１）の冷却箱に据え付けられると共に、対応する棚（１１，２１，３１）の冷却箱の内部の冷却箱温度を感知するものであり、また抵抗温度検知器（ＲＴＤ）であってもよい。３個の棚（２１）を含む冷却設備は、３個の棚（２１）の冷却箱に夫々据え付けられる３個の冷却箱温度センサ（４１）を有する。
【００１６】
主制御装置（４３）は、少なくとも１個の棚（１１，２１，３１）の中の１個の外部室に据え付けられ、周囲温度／湿度センサ（４２）、少なくとも１個の冷却箱温度センサ（４１）及び少なくとも１個の曇り除去ヒータ（１７，２７，３７）に連結され、また更に圧縮機（２３，３３）、少なくとも１個の膨張弁（２５，３５）、少なくとも１個の冷却ファン（３６）及び少なくとも１個の霜取りヒータ（３８）に連結されてもよく、露点公式、曇り除去データベース及び曇り除去制御工程を記憶し、且つ更に任意のデフォルト露点計算時間間隔、任意の目標霜取り時間、任意の霜取り設定時間、任意の目標遅延時間、少なくとも１個の棚に夫々対応する少なくとも１個の任意の最高温度、任意の霜取り制御工程、少なくとも１個の棚に夫々対応する少なくとも１個の任意の最低温度と、任意の圧縮機制御工程とを記憶してもよい。
【００１７】
更に図６Ａ，図６Ｂ，図６Ｃ及び図６Ｅを参照すると、主制御装置（４３）は、複数のコネクタ（Ｊ９，Ｊ１０，Ｊ１５，Ｊ１７及びＪ１４）を有するＦＴ３１５０プロセッサ集積回路（ＩＣ）であってよい。コネクタ（Ｊ９，Ｊ１０，Ｊ１５，Ｊ１７及びＪ１４）は夫々、主制御装置（４３）を圧縮機（２３，３３）、少なくとも１個の膨張弁（２５，３５）、少なくとも１個の冷却ファン（３６）、少なくとも１個の曇り除去ヒータ（１７，２７，３７）及び少なくとも１個の霜取りヒータ（３８）に連結する。
【００１８】
露点公式は、棚（１１，２１，３１）の冷却箱の外部の周囲温度及び湿度から露点を計算すると共に、
ＤＰ＝（（０．６６７７−ｌｏｇＥＷ）＊２３７．３）／（ｌｏｇＥＷ−８．１６０７７）
であり、ここで、
ｌｏｇＥＷ＝０．６６０７７＋（７．５＊温度／（２３７．３＋温度））＋ｌｏｇ１０（湿度）−２
である。例えば、棚（１１，２１，３１）の外部の温度及び湿度が夫々、摂氏５０度及び９０パーセントであるならば、計算される露点は摂氏４７．８９度である。
【００１９】
更に図３を参照すると、曇り除去データベースは、複数の標準露点値及び複数の曇り除去継続時間値を保有する。曇り除去継続時間値は夫々、標準露点値に対応する。例えば、デフォルト露点計算時間間隔及び計算された露点が夫々１５分及び摂氏６度であるならば、曇り除去継続時間値は４分である。
【００２０】
曇り除去制御工程は、露点を計算し、適合する標準露点値を見つけ、且つ曇り除去データベースから対応する曇り除去継続時間値を抽出すると共に、抽出された曇り除去継続時間値と等しい多くの時間の間、曇り除去ヒータ（１７，２７，３７）を作動させる。
【００２１】
更に図４を参照すると、曇り除去制御工程は、露点計算時間間隔を計数する工程（１００）と、露点計算時間間隔がデフォルト露点計算時間間隔と等しいか否かを判定する工程（１０１）と、棚の外部の周辺温度及び湿度を採取すると共に、露点計算時間間隔がデフォルト露点計算時間間隔と等しい時に露点計算時間間隔を再度計数する工程（１０２）と、露点を計算する工程（１０３）と、計算された露点に対応する適合標準露点値を見つけ出す工程（１０４）と、適合標準露点値に対応する曇り除去継続時間値を抽出する工程（１０５）と、曇り除去ヒータを作動させる工程（１０６）と、曇り除去継続時間を計数す
る工程（１０７）と、計数された曇り除去継続時間が抽出された曇り除去継続時間値と等しいか否かを判定する工程（１０８）と、計数された曇り除去継続時間が抽出された曇り除去継続時間値と等しい時に曇り除去ヒータを停止させる工程（１０９）とを含んでよい。
【００２２】
更に図９を参照すると、霜取り制御工程は特に棚型冷凍庫（３０）に利用されると共に、主制御装置（４３）によって、
ａ）棚型冷凍庫（３０）が目標霜取り時間間隔と等しい時間間隔の間作動させられた時に、圧縮機（３３）及び少なくとも１個の冷却ファン（３６）を停止させ、少なくとも１個の膨張弁（３５）を閉鎖し、且つ少なくとも１個の霜取りヒータ（３８）を作動させ、
ｂ）少なくとも１個の霜取りヒータ（３８）が霜取り設定時間と等しい霜取り時間の間作動させられた時、或いは少なくとも１個の棚（１１，２１，３１）の冷却箱の内部温度が特定の最高温度と等しい時に、少なくとも１個の霜取りヒータ（３８）を停止させ、
ｃ）少なくとも１個の霜取りヒータ（３８）がしばらくの間停止させられた後に、圧縮機（３３）及び少なくとも１個の冷却ファン（３６）を作動させると共に、少なくとも１個の膨張弁（３５）を開放する
ために実行される。
【００２３】
霜取り制御工程は、棚型冷凍庫が作動させられた時に、作動時間を計数する工程（２００）と、作動時間が目標霜取り時間と等しいか否かを判定する工程（２０１）と、作動時間が目標霜取り時間と等しい時に、圧縮機及び少なくとも１個の冷却ファンを停止させると共に、少なくとも１個の膨張弁を閉鎖する工程（２０２）と、少なくとも１個の霜取りヒータを作動させる工程（２０３）と、霜取り時間を計数する工程（２０４）と、少なくとも１個の棚の冷却箱の内部温度が対応する最高温度と等しいか、或いは霜取り時間が霜取り設定時間と等しいか否かを判定する工程（２０５）と、少なくとも１個の棚の冷却箱の内部温度が対応する最高温度と等しい時、或いは霜取り時間が霜取り設定時間と等しい時に、少なくとも１個の霜取りヒータを停止させる工程（２０６）と、遅延時間を計数する工程（２０７）と、遅延時間が所定遅延時間と等しいか否かを判定する工程（２０８）と、遅延時間が目標遅延時間と等しい時に、圧縮機及び少なくとも１個の冷却ファンを作動させると共に、少なくとも１個の膨張弁を開放する工程（２０９）とを含んでよい。
【００２４】
圧縮機制御工程は、冷却制御機器が夫々の棚（２１）に対応する複数の冷却箱温度センサ（４１）を有するために、複数の棚（２１）を有する冷却設備に特に利用される。
更に、圧縮機制御工程は、主制御装置（４３）によって
ａ）いずれかの棚（２１）の内部温度が対応する最高温度よりも高い時に、圧縮機（２３）を作動させると共に、全ての膨張弁（２５）を開放し、
ｂ）いずれかの棚（２１）の内部温度が対応する最低温度よりも低い時に、対応する膨張弁（２５）を閉鎖し、
ｃ）全ての膨張弁（２５）が閉鎖された時に、圧縮機（２３）を停止させる
ために実行される。
【００２５】
更に図１２を参照すると、圧縮機制御工程は、冷却箱の内部の温度を監視する工程（３００）と、いずれかの冷却箱の内部温度が対応する最高温度よりも高いか否かを判定する工程（３０１）と、いずれかの冷却箱の内部温度が対応する最高温度よりも高い時に、圧縮機が作動しているか否かを判定する工程（３０２）と、圧縮機が停止している時に、圧縮機を作動させる工程（３０３）と、圧縮機が作動している時に、全ての膨張弁を開放する工程（３０４）と、冷却箱の内部の温度を監視する工程（３０５）と、いずれかの冷却箱の温度が対応する最低温度よりも低いか否かを判定する工程（３０６）と、いずれかの冷却箱の温度が対応する最低温度よりも低い時に、対応する膨張弁を閉鎖する工程（３０７）と、全ての膨張弁が閉鎖されたか否かを判定する工程（３０８）と、全ての膨張弁が
閉鎖された時に、圧縮機を停止させる工程（３０９）とを含んでよい。
【００２６】
このような冷却制御機器を伴い、曇り除去ヒータ（１７，２７，３７）は、常に作動しているとは限らない。従って、曇り除去ヒータ（１７，２７，３７）はより少ない熱を発生させ、それ故、棚（１１，２１，３１）の冷却箱の内部温度の上昇を補償するために、圧縮機は更に作動する必要がない。その結果、圧縮機（１３，２３，３３）のより少ない作動により、冷却設備によってより少ない電力が消費される。また、圧縮機（２３）及び複数の棚（２１）を有する冷却設備と共に制御機器が使用される時には、いずれかの棚（２１）の温度が過剰に高い時に、圧縮機（２３）は作動させられる。従って、圧縮機（２３）は頻繁に作動及び停止させられず、冷却設備の電力消費量が低減される。
【図面の簡単な説明】
【００２７】
【図１】ガラス扉を備えた棚型冷却設備を示す斜視図。
【図２】本発明に係る冷却制御機器の第１実施形態と、図１の冷却設備の圧縮機と、凝縮器と、膨張弁と、冷却ファンを示す機能ブロック線図。
【図３】図２の冷却制御機器の主制御装置に記憶された曇り除去表を示す図。
【図４】図２の主制御装置に記憶された曇り除去制御工程を示すフローチャート。
【図５】ガラス窓を備えた開放棚型冷却設備を示す斜視図。
【図６Ａ】図６Ａは本発明に係る冷却制御機器を示す回路図。
【図６Ｂ】図６Ｂは本発明に係る冷却制御機器を示す回路図。
【図６Ｃ】図６Ｃは本発明に係る冷却制御機器を示す回路図。
【図６Ｄ】図６Ｄは本発明に係る冷却制御機器を示す回路図。
【図６Ｅ】図６Ｅは本発明に係る冷却制御機器を示す回路図。
【図６Ｆ】図６Ｆは本発明に係る冷却制御機器を示す回路図。
【図６Ｇ】図６Ｇは本発明に係る冷却制御機器を示す回路図。
【図６Ｈ】図６Ｈは本発明に係る冷却制御機器を示す回路図。
【図７】ガラス扉を備えた棚型冷凍庫を示す斜視図。
【図８】本発明に係る冷却制御機器の第２実施形態を示す機能ブロック線図。
【図９】図８の主制御装置に記憶された霜取り制御工程を示すフローチャート。
【図１０】複数ユニット開放棚型冷却設備を示す前面図。
【図１１】本発明に係る冷却制御機器の第３実施形態を示す機能ブロック線図。
【図１２】図１１の主制御装置に記憶された圧縮機制御工程を示すフローチャート。
【図１】
2009109111.tif 000002
【図２】
2009109111.tif 000003
【図３】
2009109111.tif 000004
【図４】
2009109111.tif 000005
【図５】
2009109111.tif 000006
【図６Ａ】
2009109111.tif 000007
【図６Ｂ】
2009109111.tif 000008
【図６Ｃ】
2009109111.tif 000009
【図６Ｄ】
2009109111.tif 000010
【図６Ｅ】
2009109111.tif 000011
【図６Ｆ】
2009109111.tif 000012
【図６Ｇ】
2009109111.tif 000013
【図６Ｈ】
2009109111.tif 000014
【図７】
2009109111.tif 000015
【図８】
2009109111.tif 000016
【図９】
2009109111.tif 000017
【図１０】
2009109111.tif 000018
【図１１】
2009109111.tif 000019
【図１２】
2009109111.tif 000020